(57)【要約】【課題】構築現場において行う棟部の屋根材の延ばし作業を省略することができる結果、屋根を安全且つ短時間にしかも経済的に構築することができる。【解決手段】幅方向一端長手方向にコ字形に折り曲げられたフック部２が形成され、幅方向他端長手方向に溝部が形成された屋根材を複数枚用い、下段の前記屋根材の前記溝部に上段の前記屋根材の前記フック部２を嵌め込むことによって、前記屋根材を下段から上段に向って順次、構築する、屋根の構築方法において、棟部の屋根材として、前記溝部が形成されておらず、前記幅方向他端が平坦な屋根材１を用いる。【選択図】  図１
2004263512.tif 000002
【特許請求の範囲】
【請求項１】
幅方向一端長手方向にコ字形に折り曲げられたフック部が形成され、幅方向他端長手方向に溝部が形成された屋根材を複数枚用い、下段の前記屋根材の前記溝部に上段の前記屋根材の前記フック部を嵌め込むことによって、前記屋根材を下段から上段に向って順次、構築する、屋根の構築方法において、
棟部の前記屋根材として、前記溝部が形成されておらず、前記幅方向他端が平坦な屋根材を用いることを特徴とする、屋根の構築方法。
【請求項２】
幅方向一端長手方向にコ字形に折り曲げられたフック部が形成され、幅方向他端は、平坦に形成されていることを特徴とする屋根材。
【発明の詳細な説明】
【０００１】
【発明の属する技術分野】
この発明は、屋根の構築方法および屋根材、特に、構築現場において行う棟部の屋根材の延ばし作業を省略することができる結果、屋根を安全且つ短時間にしかも経済的に構築することができる、屋根の構築方法および屋根材に関するものである。
【０００２】
【従来の技術】
従来の屋根の構築方法を、図面を参照しながら説明する。
【０００３】
図４は、家屋を示す正面図、図５は、屋根を構成する従来の屋根材を示す部分斜視図、図６は、屋根を示す部分断面図、図７は、図６のＰ部拡大図である。
【０００４】
屋根を構成する、例えば、カラー鉄板製の屋根材２１は、図５に示すように、幅方向一端長手方向に連続してコ字形に折り曲げられたフック部２が形成され、幅方向他端長手方向に連続して溝部３および平坦部４が形成されたものからなっている。フック部２と溝部３とは、互いに屋根材２１の反対面に形成されている。すなわち、フック部２は、屋根材２１の裏面に形成され、溝部３は、屋根材２１の表面に形成されている。
【０００５】
上述のように成形されている屋根材２１により屋根を構築するには、図６に示すように、下段の屋根材２１の溝部３に上段の屋根材２１のフック部２を嵌め込むことによって、屋根材２１を下段から上段に向って順次、構築する。各屋根材２１は、平坦部４から野地板（図示せず）を介して打ち込んだ釘５よりたる木６に固定される。
【０００６】
棟部（最上段部）の屋根材２１Ａ、２１Ｂ（２１Ａは、一方の屋根材、２１Ｂは、屋根材２１Ａと結合される他方の屋根材）を構築するには、図６および図７に示すように、両屋根材２１Ａ、２１Ｂの溝部３を道具を使用して屋根上で平坦に延ばし、一方の屋根材２１Ａの平坦に延ばされた他端をＬ字に折り曲げてＬ字折り曲げ部７を形成し、他方の屋根材２１Ｂの平坦に延ばされた他端をＶ字状に折り曲げてＶ字状折り曲げ部８を形成する。そして、一方の屋根材２１ＡのＬ字折り曲げ部７を他方の屋根材１ＣのＶ字状折り曲げ部８内に嵌め込み、挟み付ける。なお、Ｌ字折り曲げ部７とＶ字状折り曲げ部８とは、止水用シール材（図示せず）が張り付けられた固定金具９を介して挟み付けられる。固定金具９は、釘５によりたる木６に固定される。全ての屋根材２１、２１Ａ、２１Ｂの両端部は、最終的に直角に下方に折り曲げられる。
【０００７】
上述した棟部の屋根材２１Ａ、２１Ｂの構築方法は、図４中（Ｐ）で示すように、屋根本体（２階の屋根）および下屋根（１階の屋根）に適用される。
【０００８】
【発明が解決しようとする課題】
上述のようにして、屋根が構築されるが、以下のような問題があった。
【０００９】
（１）２階の屋根の場合、棟部の屋根材２１Ａ、２１Ｂは、２０ｍ前後の長さを有するが、このような長尺の屋根材２１Ａ、２１Ｂの溝部３を平坦に延ばす作業は、足場が不安定な屋根の上で行うので、危険が伴うと共に時間を要する。
【００１０】
（２）延ばされた屋根材２１Ａ、２１Ｂの幅は、必要以上に広くなるので、幅調整のために、屋根材２１Ａ、２１Ｂの他端を所定長さだけ屋根上で切断する必要があるが、完全に平坦ではない屋根材２１Ａ、２１Ｂの切断作業はやり難く、しかも、正確に直線状に切断できない。
【００１１】
（３）屋根材２１Ａ、２１Ｂの切断により材料が無駄となる。
【００１２】
（４）屋根材２１Ａ、２１Ｂの延ばし作業は、道具を使用するとはいえ、全て手作業なので、屋根材２１Ａ、２１Ｂに歪が生じやすい。屋根材２１Ａ、２１Ｂに歪が生じると、その後に行うＬ字折り曲げ部７およびＶ字折り曲げ部８の折り曲げ作業に支障を来たす。
【００１３】
（５）屋根材２１Ａ、２１Ｂに歪が生じると、屋根の外観を悪化させる。
【００１４】
従って、この発明の目的は、構築現場において行う棟部の屋根材の延ばし作業を省略することができる結果、屋根を安全且つ短時間にしかも経済的に構築することができる、屋根の構築方法および屋根材を提供することにある。
【００１５】
【課題を解決するための手段】
請求項１に記載された発明は、幅方向一端長手方向にコ字形に折り曲げられたフック部が形成され、幅方向他端長手方向に溝部が形成された屋根材を複数枚用い、下段の前記屋根材の前記溝部に上段の前記屋根材の前記フック部を嵌め込むことによって、前記屋根材を下段から上段に向って順次、構築する、屋根の構築方法において、棟部の前記屋根材として、前記溝部が形成されておらず、前記幅方向他端が平坦な屋根材を用いることに特徴を有するものである。
【００１６】
請求項２に記載された発明は、幅方向一端長手方向にコ字形に折り曲げられたフック部が形成され、幅方向他端は、平坦に形成されていることに特徴を有するものである。
【００１７】
【発明の実施の形態】
以下、この発明の一実施態様を、図面を参照しながら説明する。
【００１８】
図１は、この発明の屋根の構築方法に使用する屋根材を示す部分斜視図、図２は、一方の屋根材を示す部分斜視図、図３は、他方の屋根材を示す部分斜視図である。
【００１９】
図１に示すように、この発明の屋根材１は、幅方向一端長手方向に連続してコ字形に折り曲げられたフック部２が形成され、幅方向他端は、平坦に形成されている。フック部２は、屋根材１の裏面に形成されている。
【００２０】
この発明の屋根材１により屋根を構築するには、先ず、図５に示すような形状の従来の屋根材２１を、下段から上段に上述した従来技術と同様に順次、構築する。そして、棟部の屋根材に、この発明の屋根材１を使用して、棟部を、以下のようにして構築する。
【００２１】
図６および図７に示すように、棟部の一方の屋根材１Ａのフック部２を直前段の屋根材２１の溝部３に嵌め込む。次いで、一方の屋根材１Ａの他端を必要に応じて所定幅に切断した後、Ｌ字状に折り曲げてＬ字折り曲げ部７を形成する。次いで、棟部の他方の屋根材１Ｂのフック部２を直前段の屋根材２１の溝部３に嵌め込む。次いで、屋根材１Ｂの他端を必要に応じて所定幅に切断した後、Ｖ字状に折り曲げてＶ字折り曲げ部８を形成する。なお、屋根材１Ａ、１Ｂの他端は、従来の屋根材２１Ａ、２１Ｂのように延ばされていないので、必要以上に長くない。従って、他端の切断が不要の場合もある。図１に、屋根材１の他端の切断線を示す。
【００２２】
そして、一方の屋根材１ＡのＬ字折り曲げ部７を他方の屋根材１ＢのＶ字状折り曲げ部８内に嵌め込み、挟み付ける。Ｌ字折り曲げ部７とＶ字状折り曲げ部８とは、止水用シール材（図示せず）を張り付けた固定金具９を介して挟み付ける。固定金具９は、釘５によりたる木６に固定する。全ての屋根材２１、１Ａ、１Ｂの両端部は、最終的に直角に下方に折り曲げる。
【００２３】
この発明の屋根材１の他端は、平坦に形成されているので、従来のように、屋根上での屋根材１の延ばし作業は、必要なくなる。従って、屋根上で行う作業は、屋根材１の幅調整のための他端の切断作業、Ｌ字折り曲げ部７およびＶ字折り曲げ部８の折り曲げ作業だけで済む。この結果、以下のような利点がもたらされる。
【００２４】
（１）屋根上での屋根材１の延ばし作業が不要となるので、屋根の構築作業が安全且つ短時間に行える。
【００２５】
（２）屋根材１の他端が平坦であるので、必要に応じて行う屋根材１の幅切断作業がやりやすい。
【００２６】
（３）屋根材１の幅を必要以上に広くする必要がないので、幅調整のための切断幅を最小限に押さえることができる。従って、無駄になる材料が少なくて済むので、経済的である。
【００２７】
（４）屋根材１の他端が平坦であるので、屋根上で行うＬ字折り曲げ部７およびＶ字折り曲げ部８の折り曲げ作業が容易に行え、しかも、Ｌ字折り曲げ部７およびＶ字折り曲げ部８を形成した後の屋根材１に生じる歪は少ない。
【００２８】
（５）屋根材１に生じる歪が少ないので、屋根の外観を悪化させることがない。
【００２９】
上述した棟部の屋根材１Ａ、１Ｂの構築方法は、図４中（Ｐ）で示すように、屋根本体（２階の屋根）および下屋根（１階の屋根）に適用される。
【００３０】
また、この発明の屋根材１を用いた屋根の構築方法は、図８の急勾配の屋根の棟部、および、図９の換気システム１０付きの屋根の棟部にも適用することができることは勿論である。なお、換気システム１０付きの屋根の場合には、屋根材１の他端は、平坦のままで良く、固定金具９は不要である。図８および図９において、図１から図７と同じ番号は同一物を示し、説明は省略する。
【００３１】
【発明の効果】
以上説明した通り、この発明によれば、棟部の屋根材として、溝部が形成されておらず、幅方向他端が平坦な屋根材を用いることによって、構築現場において行う棟部の屋根材の延ばし作業を省略することができる結果、屋根を安全且つ短時間にしかも経済的に構築することができるといった有用な効果がもたらされる。
【図面の簡単な説明】
【図１】この発明の屋根の構築方法に使用する屋根材を示す部分斜視図である。
【図２】一方の屋根材を示す部分斜視図である。
【図３】他方の屋根材を示す部分斜視図である。
【図４】家屋を示す正面図である。
【図５】屋根を構成する従来の屋根材を示す部分斜視図である。
【図６】屋根を示す部分断面図である。
【図７】図６のＰ部拡大図である。
【図８】急勾配の屋根の棟部を示す断面図である。
【図９】換気システム付きの屋根の棟部を示す断面図である。
【符号の説明】
１：この発明の屋根材
１Ａ：一方の屋根材
１Ｂ：他方の屋根材
２：フック部
３：溝部
４：平坦部
５：釘
６：たる木
７：Ｌ字折り曲げ部
８：Ｖ字折り曲げ部
９：固定金具
１０：換気システム
２１：従来の屋根材
２１Ａ：一方の屋根材
２１Ｂ：他方の屋根材
【図１】
2004263512.tif 000003
【図２】
2004263512.tif 000004
【図３】
2004263512.tif 000005
【図４】
2004263512.tif 000006
【図５】
2004263512.tif 000007
【図６】
2004263512.tif 000008
【図７】
2004263512.tif 000009
【図８】
2004263512.tif 000010
【図９】
2004263512.tif 000011